(57)【要約】      （修正有）【課題】装飾装置を設けても遊技盤の裏面に形成される誘導路の形成位置が制限されないようにし、入賞口の配設位置が制限されないようにする。【解決手段】立体的な装飾部材３０を配設する空間１９を形成する周囲壁１８を設けて装飾効果を高める。また、周囲壁１８の後方開口部１９ａを閉鎖し、裏面が遊技盤１の裏面と略同一面となる透明もしくは半透明な後方板部材２０を設け、装飾装置１４の裏面側に誘導路８４を形成可能とする。さらに、後方板部材２０と装飾部材３０を別部材で構成し、装飾部材３０の形状に関係なく装飾装置１４の裏面側に誘導路８４を形成可能とする。また、裏面構成部材８０に後方板部材２０の裏面が前方開口を塞ぐことで誘導路８４を形成可能に誘導路形成壁８５を配設し、装飾装置１４の裏側に誘導路８４を形成可能とする。また、誘導路８４の後方側に発光部材を配設し、装飾装置１４に発光部材を備えなくても光による装飾を可能とする。【選択図】図２
2006141793.tif 000002
【特許請求の範囲】
【請求項１】
打ち込まれた遊技球が流下する遊技領域を形成した遊技盤と、
前記遊技盤に形成された開口部に対応して配設され、前記遊技領域を装飾するための装飾装置と、
前記遊技盤の裏面側に設けられ、前記遊技領域に形成された入賞口へ入賞した遊技球を該遊技盤の裏面側下方の所定部位に流下誘導する誘導路を形成可能な前方に開口した断面コ字状の誘導路形成壁を立設した裏面構成部材と、
を備えた遊技機において、
前記装飾装置は、
遊技盤表面に取り付けられる取付基盤と、
前記取付基盤に形成された開口窓部の縁部から後方側に突出形成され、立体的な装飾部材を配設するための空間を形成する周囲壁と、
前記周囲壁の後方開口部を閉鎖するとともに、裏面が前記遊技盤の裏面と略同一面となる透明もしくは半透明な後方板部材と、
を設け、
前記裏面構成部材は、前記装飾装置の後方側の位置に、前記後方板部材の裏面が前方開口を塞ぐことで前記誘導路を形成可能に前記誘導路形成壁を配設するとともに、該誘導路の後方側に該装飾装置に対して光を照射する発光部材を配設したことを特徴とする遊技機。
【請求項２】
前記裏面構成部材は、
前記発光部材と制御装置との間の配線を中継する中継基板を、当該裏面構成部材の裏面側に取り付けるための取付部材を備え、
前記取付部材は、
前記中継基板を裏面側に配設する一方、該中継基板と背合わせ状態で前面側に前記発光部材を搭載した発光部材用基板を配設するようにしたことを特徴とする請求項１に記載の遊技機。
【請求項３】
前記装飾装置は、前記装飾部材を配置する空間の前方を塞ぐ透明なカバー部材を備えるとともに、該カバー部材を前記取付基盤と略同一面に形成することで当該カバー部材の前方を遊技球が流下可能に構成したことを特徴とする請求項１または請求項２に記載の遊技機。
【請求項４】
前記装飾装置の上方部に、前記入賞口を形成したことを特徴とする請求項１から請求項３のいずれか一項に記載の遊技機。
【請求項５】
前記裏面構成部材は、前記誘導路の一部もしくは全部が屈曲するように前記誘導路形成壁を形成し、該誘導路の所要部位に前記入賞口に入賞した遊技球を検出するための検出センサを設けたことを特徴とする請求項１から請求項４のいずれか一項に記載の遊技機。
【発明の詳細な説明】
【技術分野】
【０００１】
本発明は、遊技球が流下する遊技領域を形成した遊技盤と、遊技領域を装飾する装飾装置と、遊技領域に形成された入賞口へ入賞した遊技球を所定部位に誘導する誘導路を備えた裏面構成部材とを備えた遊技機に関する。
【背景技術】
【０００２】
従来、遊技領域の側縁部等に、遊技状態を装飾するためのランプ等を有する装飾装置を備えた遊技機が知られている（例えば、特許文献１参照）。
上記した装飾装置においては、遊技盤に取り付けるための取付基盤を有し、この取付基盤の前面側にレンズ部材を配設する一方、取付基盤の後方にランプを配設して、ランプの発光により遊技状態等の装飾を行っていた。
また、発光による装飾だけではなく、遊技領域に人形等の物体を設けて当該遊技機の装飾を行うようにしたものも考えられている（例えば、特許文献２参照）。
上記したような人形等を設けるものでも、人形の裏面側にランプ等の発光源を設けて、人形に光を照射することでその装飾効果を高めるようにしていた。
【特許文献１】特開２００４−１６４９１号公報
【特許文献２】特開２００４−５７６５５号公報
【発明の開示】
【発明が解決しようとする課題】
【０００３】
しかしながら、人形等の立体的な物体の他、それを発光させる発光源を遊技領域に設けた場合に、装飾装置全体の大きさが大型化してしまうといった問題点が発生する。特に、前後方向の寸法が大きくなることから、装置の後端部が、遊技盤の取付用の開口部から後方側に突出してしまうこととなる。
遊技盤の裏面側には、各入賞口に入賞した遊技球を下方の所定部位に流下誘導する誘導路を形成する必要があり、上記した装飾装置後端の突出があると、その部分に誘導路を形成することができなくなってしまう。そこで、その部分を避けるように誘導路を形成することが考えられるが、そのようにすると、誘導に必要な十分な傾斜がとれなくなること等が原因で球詰まりが発生してしまったり、或いは、誘導路の形状が規制されてしまうことから、入賞口の位置を所望の位置に形成できなくなったりしてしまう。
【０００４】
本発明の課題は、遊技領域を装飾する装飾装置を有する遊技機において、装飾装置を設けても遊技盤の裏面に形成される誘導路の形成位置が制限されることがないようにし、誘導路内での球詰まりを防ぐとともに、入賞口の配設位置が制限されないようにすることである。
【課題を解決するための手段】
【０００５】
以上の課題を解決するため、請求項１に記載の発明は、打ち込まれた遊技球が流下する遊技領域を形成した遊技盤と、
前記遊技盤に形成された開口部に対応して配設され、前記遊技領域を装飾するための装飾装置と、
前記遊技盤の裏面側に設けられ、前記遊技領域に形成された入賞口へ入賞した遊技球を該遊技盤の裏面側下方の所定部位に流下誘導する誘導路を形成可能な前方に開口した断面コ字状の誘導路形成壁を立設した裏面構成部材と、
を備えた遊技機において、
前記装飾装置は、
遊技盤表面に取り付けられる取付基盤と、
前記取付基盤に形成された開口窓部の縁部から後方側に突出形成され、立体的な装飾部材を配設するための空間を形成する周囲壁と、
前記周囲壁の後方開口部を閉鎖するとともに、裏面が前記遊技盤の裏面と略同一面となる透明もしくは半透明な後方板部材と、
を設け、
前記裏面構成部材は、前記装飾装置の後方側の位置に、前記後方板部材の裏面が前方開口を塞ぐことで前記誘導路を形成可能に前記誘導路形成壁を配設するとともに、該誘導路の後方側に該装飾装置に対して光を照射する発光部材を配設したことを特徴とする。
【０００６】
ここで、「遊技機」とは、例えば、各種パチンコ遊技機、アレンジボール遊技機、雀球遊技機等の弾球遊技機である。
また、「発光部材」は、ＬＥＤやランプ、蛍光管などである。
【０００７】
このように、装飾装置は、立体的な装飾部材を配設するための空間を形成する周囲壁を有しているので、立体的な装飾部材により装飾効果を高めることができる。
また、周囲壁の後方開口部を閉鎖するとともに、裏面が遊技盤の裏面と略同一面となる透明もしくは半透明な後方板部材を設けたことで、装飾装置の裏面側に何ら問題（例えば、球詰まり等）なく誘導路を形成できる。
さらに、後方板部材と装飾部材を別部材で構成したので、装飾部材の形状に関係なく上述のように装飾装置の裏面側に何ら問題なく誘導路を形成でき、装飾部材を様々な形状に形成できる。
【０００８】
また、裏面構成部材には、装飾装置の後方側の位置に、後方板部材の裏面が前方開口を塞ぐことで誘導路を形成可能に誘導路形成壁を配設したので、後方板部材が誘導路の前壁を兼ね、装飾装置のすぐ裏側に誘導路を形成することとなり、構成を簡略化することができるとともに、装飾装置の配設位置によって誘導路の配設位置が規制されることがない。
また、誘導路の後方側に装飾装置に対して光を照射する発光部材を配設したことで、装飾効果をより高めることができるとともに、装飾装置自体に発光部材を備える必要がないので装飾装置を小型化でき、誘導路の形状や位置を規制することがなく、各機構体を遊技盤に効率よく配設することが可能となる。
【０００９】
請求項２に記載の発明は、請求項１に記載の遊技機であって、前記裏面構成部材は、
前記発光部材と制御装置との間の配線を中継する中継基板を、当該裏面構成部材の裏面側に取り付けるための取付部材を備え、
前記取付部材は、
前記中継基板を裏面側に配設する一方、該中継基板と背合わせ状態で前面側に前記発光部材を搭載した発光部材用基板を配設するようにしたことを特徴とする。
【００１０】
このように、発光部材用基板と中継基板とを背合わせ状態で取付部材に配設したことで、発光部材を中継基板の裏面側（遊技機の前面側）を利用して効率よく配設することが可能となる。また、発光部材からの配線が背面の中継基板で中継されるので、配線処理も整然と行うことが可能となる。
【００１１】
請求項３に記載の発明は、請求項１または請求項２に記載の遊技機であって、前記装飾装置は、前記装飾部材を配置する空間の前方を塞ぐ透明なカバー部材を備えるとともに、該カバー部材を前記取付基盤と略同一面に形成することで当該カバー部材の前方を遊技球が流下可能に構成したことを特徴とする。
【００１２】
このように、装飾装置は、装飾部材を配置する空間の前方を塞ぐカバー部材を備え、カバー部材の前方を遊技球が流下可能に構成されているので、装飾装置の前面側も遊技球が流下可能な遊技領域とすることができ、装飾装置を備えることにより遊技領域が狭くなってしまうといった課題を抑制できる。また、遊技球が流下する領域で装飾を行うので、より斬新な装飾となる。
【００１３】
請求項４に記載の発明は、請求項１から請求項３のいずれか一項に記載の遊技機であって、前記装飾装置の上方部に、前記入賞口を形成したことを特徴とする。
【００１４】
このように、装飾装置の上方部に、入賞口を形成しても、上述したように、装飾装置の裏側に誘導路を配設できるので、その入賞口に連通する誘導路を何ら問題なく形成することが可能となる。
つまり、装飾装置によって入賞口の配設位置が規制されることがなく、所望の位置に入賞口を配設することができる。
【００１５】
請求項５に記載の発明は、請求項１から請求項４のいずれか一項に記載の遊技機であって、前記裏面構成部材は、前記誘導路の一部もしくは全部が屈曲するように前記誘導路形成壁を形成し、該誘導路の所要部位に前記入賞口に入賞した遊技球を検出するための検出センサを設けたことを特徴とする。
【００１６】
このように、誘導路の一部もしくは全部を屈曲させたり、該誘導路の所要部位に入賞口に入賞した遊技球を検出するための検出センサを設けたりしても、上述したように装飾装置の裏側に誘導路などを配設できるので、取り付けスペース的な問題が生じず、また、装飾効果が低下することもない。
つまり、装飾装置によって誘導路の形状や、検出センサなどの部材の配設位置が規制されることがない。
【発明の効果】
【００１７】
本発明によれば、装飾装置は、立体的な装飾部材を配設するための空間を形成する周囲壁を有しているので、立体的な装飾部材により、装飾効果を高められる。
また、周囲壁の後方開口部を閉鎖するとともに、裏面が遊技盤の裏面と略同一面となる透明もしくは半透明な後方板部材を設けたことで、装飾装置の裏面側に何ら問題なく誘導路を形成できる。
さらに、後方板部材と装飾部材を別部材で構成したので、装飾部材の形状に関係なく装飾装置の裏面側に何ら問題なく誘導路を形成でき、装飾部材を様々な形状に形成できる。
また、裏面構成部材には、装飾装置の後方に、後方板部材の裏面が前方開口を塞ぐことで誘導路を形成可能に誘導路形成壁を配設したので、装飾装置のすぐ裏側に誘導路を形成でき、構成を簡略化できるとともに、装飾装置の配設位置によって誘導路の配設位置が規制されない。
また、誘導路の後方側に装飾装置に対して光を照射する発光部材を配設したので、装飾効果をより高められるとともに、装飾装置自体に発光部材を備える必要がないので装飾装置を小型化でき、誘導路の形状や位置を規制することがなく、各機構体を遊技盤に効率よく配設できる。
【発明を実施するための最良の形態】
【００１８】
以下、この発明の第１の実施形態について図面を参照して説明する。
ここでは、本発明にかかる遊技機の適例としてのパチンコ遊技機について図１から図１１を用いて説明を行う。
【００１９】
図１には、ガイドレール２で囲まれ、遊技球を発射して遊技を行う遊技領域１ａが前面側に形成された遊技盤１を示した。
なお、パチンコ遊技機の外枠であって島設備に固定される機枠や、遊技領域１ａの前面を覆うガラス枠、遊技領域１ａの下側に設けられ遊技球を収容する上皿、下皿を有するとともに、遊技者が発射操作を行うための操作ハンドルを備えた操作パネルなどは図示を省略している。
【００２０】
この遊技盤１のガイドレール２で囲まれた遊技領域１ａでは、図示しない発射装置によって発射された遊技球が流下するようになっている。
遊技領域１ａには、普図始動ゲート３、普通変動入賞装置７、特図の変動表示ゲーム（特図遊技）として特別図柄（特図：識別情報）の表示を行う変動表示装置４（特別図柄表
示装置）、特図の変動表示ゲームの結果如何によって大入賞口６ｂを閉じた状態（遊技者にとって不利な状態）から開放状態（遊技者にとって有利な状態）に変換する特別変動入賞装置６、アウト球を回収するためのアウト穴９が設けられている。
この他、遊技領域１ａには、一般入賞口８，８，…、風車と呼ばれる打球方向変換部材１０、多数の障害釘１１，１１，…、装飾ランプ・ＬＥＤなどが配設されている
【００２１】
普通変動入賞装置７は左右一対の開閉部材７ａを具備し、この開閉部材７ａは、常時は遊技球が１個流入可能な程度の間隔で閉じた状態（遊技者にとって不利な状態）を保持しているが、普図変動表示ゲームの結果が所定の停止表示態様（例えば、「７」）となった場合には、図示しない駆動装置（例えばソレノイド）によって、逆「ハ」の字状に開いて普通変動入賞装置７に遊技球が流入し易い状態（遊技者にとって有利な状態）に変化させられるようになっている。
この普通変動入賞装置７は、特図の始動入賞口も兼ねている。すなわち、普通変動入賞装置７の内部（入賞領域）に備えられた特図始動入賞口センサによって遊技球を検出することに基づき、特図の変動表示ゲームを開始する始動権利が発生するようになっている。
【００２２】
この特図の変動表示ゲームを開始する始動権利は、所定の上限数（例えば４）の範囲内で始動記憶（特図始動記憶）として記憶される。従って、特図の変動表示ゲームが開始可能な状態で、且つ、始動記憶数が０の状態で、普通変動入賞装置７に遊技球が入賞すると、始動権利の発生に伴って始動記憶が記憶されて、始動記憶数が１加算されるととともに、直ちに始動記憶に基づいて、特図の変動表示ゲームが開始され、この際に始動記憶数が１減算される。
【００２３】
一方、特図の変動表示ゲームが直ちに開始できない状態、例えば、既に特図の変動表示ゲームが行われ、その特図の変動表示ゲームが終了していない状態や、特別遊技状態となっている場合に、普通変動入賞装置７に遊技球が入賞すると、始動記憶数が上限数未満ならば、始動記憶数が１加算されて始動記憶が１つ記憶されることになる。そして、始動記憶数が１以上となった状態で、特図の変動表示ゲームが開始可能な状態（前回の特図の変動表示ゲームの終了もしくは特別遊技状態の終了）となると、始動記憶数が１減算されるとともに、記憶された始動記憶に基づいて特図の変動表示ゲームが開始される。
【００２４】
普図始動ゲート３内には、該普図始動ゲート３を通過した遊技球を検出するための普図始動ゲートセンサが設けられている。そして、遊技領域１ａ内に打ち込まれた遊技球が普図始動ゲート３内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲート３を遊技球が通過すると、普図始動記憶数の上限数未満でならば、普図始動記憶数が１加算されて普図始動記憶が１つ記憶されることとなる。
【００２５】
普図変動表示ゲームは、変動表示装置４の表示画面４ｂにおいて、普通図柄（例えば、数字、記号、キャラクタ図柄など）を所定時間変動表示させた後、停止表示させることにより行うようになっている。この普図変動表示ゲームの停止表示が特別の結果態様となれば、普図の当りとなって、普通変動入賞装置７の開閉部材７ａが所定時間（例えば、０.５秒間）上述のように開放される。これにより、普通変動入賞装置７に遊技球が入賞しやすくなり、特図の変動表示ゲームの始動が容易となる。
【００２６】
また、変動表示装置４は、例えば、液晶ディスプレイ４ａを備え、表示内容が変化可能な表示画面４ｂを有している。なお、変動表示装置４は、液晶ディスプレイ４ａを備えるものに限らず、ＥＬ、ＣＲＴ等のディスプレイを備えるものであっても良い。
この変動表示装置４は、その表示画面４ｂにおいて特図の変動表示ゲームの内容を表示する他、普図変動表示ゲームの内容や、上述の始動記憶数（特図、普図）を表示するようになっている。
【００２７】
そして、遊技領域１ａ内に打ち込まれた遊技球が特図の始動入賞口を兼ねる普通変動入賞装置７へ進入して始動条件が成立することに基づき、表示画面４ｂにて複数種類の識別情報（例えば、数字、記号、キャラクタ図柄など）を所定時間変動表示させた後、停止する特図の変動表示ゲームを実行可能となっている。そして、この特図の変動表示ゲームの結果として、表示画面４ｂの表示態様が特別結果態様（例えば、「７，７，７」等のゾロ目数字の何れか）となった場合には、特別変動入賞装置６を作動させて遊技者に大量の遊技媒体（遊技球）の獲得を可能とする特別遊技状態（いわゆる、大当り状態）が発生するようになっている。さらに、変動表示装置４は、識別情報以外の文字や画像（背景画像やキャラクタ画像を含む）等も表示することが可能となっている。
【００２８】
この例では、例えば、表示画面４ｂを左領域、中領域、右領域の三つに分け、各領域で１〜９までの数字（特図：識別情報）を順次変動表示した後に、三つの各領域の変動表示を順に停止し（例えば、左領域、右領域、中領域の順で停止）、停止図柄として各領域で１つの数字が表示される特図の変動表示ゲームが行われる。また、二つの領域の変動表示を停止し、残りの一つの領域が変動表示しているときに、停止した二つの領域の数字が同じ数字で停止し、残りの領域の変動表示も同じ数字で停止すれば特別遊技状態となる状態（リーチ状態）になったときには、最後に停止する図柄の停止方法を変化できるようにしている。このようなリーチ状態における変動表示の停止方法の変化（リーチアクション）としては、例えば、通常より変動表示の時間を長くしたり、キャラクタなどを登場させたりするものがある。また、まれに、あるリーチアクションから別のリーチアクションへ発展させたり、通常のリーチアクションとは違ったリーチアクション（いわゆるスペシャルリーチ、プレミアムリーチ）を出現させたりして遊技者の興趣を向上させるようにしている。
【００２９】
特別変動入賞装置６は、上端側が手前側に倒れる方向に回動して開放可能になっているアタッカ形式の開閉扉６ａによって開閉される大入賞口６ｂを備えていて、特別遊技状態中は、大入賞口６ｂを閉じた状態から開いた状態に変換することにより大入賞口６ｂ内への遊技球の流入を容易にさせる。
なお、開閉扉６ａは、例えば、ソレノイドのような駆動装置により駆動される。また、大入賞口６ｂの内部（入賞領域）には、該大入賞口６ｂに入った遊技球を検出するための大入賞口用センサが配設されている。
【００３０】
また、遊技領域１ａに設けられた各一般入賞口８，８，…は、後述の裏面構成部材８０に形成された誘導路８４に連通しており、この誘導路８４には一般入賞口８，８，…に入った遊技球を検出するための一般入賞センサが配設されている。そして、遊技を開始することにより遊技領域１ａ内に打ち込まれた遊技球が、一般入賞口８，８，…、始動入賞口（普通変動入賞装置７）、大入賞口６ｂ等の入賞口の何れかに入賞すると、それぞれの入賞口に対応した所定数の賞球が排出される（払い出される）ようになっている。
【００３１】
また、当該遊技機においては、遊技領域１ａの正面から見て右下部に一般入賞口８を有する装飾装置１４が備えられている。
また、遊技盤１の裏面側には、一般入賞口８，８，…に入賞した遊技球を所定部位に流下誘導する誘導路８４を形成する裏面構成部材８０が設けられている。
以下、これら装飾装置１４、裏面構成部材８０について詳細に説明する。
【００３２】
図６に示すように装飾装置１４は、遊技機を装飾する種々の装飾が施されている。また、装飾装置１４は光を透過可能な透明な合成樹脂からなる種々の部材を備えており、後述するように装飾装置１４の後方側から照射される光による装飾も可能となっている。この装飾装置１４は、図２、図５に示すように、遊技盤表面の遊技領域１ａの正面から見て右下部（発射球の出口とは反対側の側部下方）に形成された開口部１５に嵌め込まれていて、後述するようにその前面側を遊技球が流下できるようになっている。
【００３３】
図６から図９に示すように、装飾装置１４は、遊技盤１の表面側に取り付けられる取付基盤１６を有している。この取付基盤１６は、装飾装置１４を構成する種々の部材が取り付けられるとともに、装飾装置１４自体を遊技盤１に固定する略扇形の板状の部材であって、複数のねじ穴や位置決め用のボス、ボスを挿入する穴などが形成されている。また、取付基盤１６には多角形状の開口部である開口窓部１７が形成されており、この開口窓部１７の縁部に沿って周囲壁１８が、取付基盤１６の裏面側から取付基盤１６に対して垂直に、後方側に突出するように形成され、この周囲壁１８によって筒状の空間１９が形成されている。また、取付基盤１６には、開口窓部１７のほかに、一般入賞口８を形成する入賞口形成部材５５を取り付ける入賞口形成部５２や、該一般入賞口８への遊技球の入賞率を調節する障害釘１１を遊技盤１に打つための開口部である障害釘取付部７０が形成されている。さらに、遊技球を流下誘導する第１流下誘導部材４８、第２流下誘導部材６０、第３流下誘導部材６３がそれぞれ設けられている。その他、取付基盤１６には当該遊技機で用いるキャラクタなどに関連した装飾が施されているとともに、光を透過可能な透明な合成樹脂からなる種々の部材が取り付けられている。
【００３４】
取付基盤１６の形状は略扇形となっているが、その円弧状の部分は、図１に示すように、装飾装置１４を遊技盤１右下部のガイドレール２の内周に沿って配せるように、この部分のガイドレール２の曲率と略同じ曲率を有している。
また、この円弧状の部分以外の外周部のうち、遊技盤面を流下する遊技球が装飾装置１４の前面に流入可能な部分、もしくは、装飾装置１４の前面を流下する遊技球が遊技盤面に流出可能な部分には、取付基盤１６の外周方向に向かって、遊技盤面に近づくように傾斜する傾斜部１６ａが形成されており、遊技球が出入りしやすいようになっている。
【００３５】
図７に示すように、取付基盤１６の開口窓部１７に形成された周囲壁１８によって形成された空間１９には、空間１９の後方開口部１９ａを閉鎖する後方板部材２０と、後方板部材２０の前側に配される立体的な装飾が施された装飾部材３０と、装飾部材３０の前側に配され、空間１９の前方開口部１９ｂを閉鎖するカバー部材４０とが配されている。
【００３６】
図７、図８に示すように、この空間１９の後方開口部１９ａの縁部、つまり、周囲壁１８の後端部には、周囲壁１８に垂直かつ後方開口部１９ａの中心方向に向かって突出する開口部リブ１８ａが形成されている。後方板部材２０、装飾部材３０、カバー部材４０は、空間１９の前方開口部１９ｂから空間１９内に収容するようになっているが、最も後方側に配される後方板部材２０はこの開口部リブ１８ａによって後方開口部１９ａより後側への移動が規制されるようになっている。
また、開口窓部１７の前方開口部１９ｂの縁部であって、円弧状となっている縁部には、後述するように、カバー部材４０の前側に配される前面装飾部材４３を取り付けるための取付部４４，４４が、周囲壁１８に対し垂直かつ前方開口部１９ｂの中心方向に向かって突設されている。この取付部４４，４４は、中央部にねじ穴を有するとともに表面側に凹部が形成されている。後述するように前面装飾部材４３は、前面装飾部材４３の裏面側に形成されたボス４７がこの凹部に嵌合し、ねじ止めされることで固定されるようになっている。なお、前面装飾部材４３をねじ止めする際には、装飾装置１４の裏面側からねじ止めするので、図８に示すように、取付部４４，４４に対応する位置には開口部リブ１８ａが形成されておらず、作業が行いやすいようになっている。また、図７に示すように、後方板部材２０、装飾部材３０、カバー部材４０にも取付部４４，４４に対応する位置に切欠きが形成されており、これらを前方開口部１９ｂから空間１９内に収容することを可能としているとともに、前面装飾部材４３の裏面側からのねじ止め作業が可能となるようにしている。
【００３７】
図７から図９に示すように、後方板部材２０は透明の板状の部材であって、その外周は多角形状の開口窓部１７と同じ形状であるが、上述したように取付部４４，４４に対応する位置には切欠き２３，２３が形成されている。後方板部材２０は、後方開口部１９ａの中心方向に向かって突設された開口部リブ１８ａの内周にちょうど嵌る形状であるとともに、開口部リブ１８ａの厚み（前後幅）と同じ厚みを有する後方板部材本体２１と、後方板部材本体２１の前面側に形成され、後方板部材本体２１の縁部から外周方向に突出した外周リブ２２とからなる。なお、外周リブ２２は、後方板部材本体２１に対して前側に突出して段状になっている。
【００３８】
なお、外周リブ２２が後方板部材本体２１の縁部から突出する幅は、開口部リブ１８ａが周囲壁１８の内面から突出する幅と同じ幅となっている。すなわち、後方板部材２０を空間１９に収容したとき、図８に示すように、後方板部材本体２１の外周が後方開口部１９ａに形成された開口部リブ１８ａの内周に接するとともに、後方板部材本体２１の裏面が後方開口部１９ａの後端面と同一面となる。また、開口部リブ１８ａの前面と外周リブ２２の後面が係合するとともに、外周リブ２２の外周が周囲壁１８の内面に接するようになる。これによって、後方板部材２０の後方向および上下左右方向への移動が規制される。また、後方板部材２０の前方側に配される装飾部材３０は、後方板部材本体２１の前面側に形成された外周リブ２２の前面に接することとなる。なお、周囲壁１８の前後幅は、遊技盤１の前後幅と略同じ幅となっており、上述のように、後方板部材２０の裏面と周囲壁１８の後端面が略同一面となるように構成された装飾装置１４を遊技盤１の開口部１５に取り付けると、遊技盤１の裏面と後方板部材２０の裏面が略同一面となるようになっている。
【００３９】
図７、図９に示すように装飾部材３０は、後方板部材２０の前方側に配され、当該遊技機で用いるキャラクタなどに関連した立体的な装飾を施した部材であって、立体的な装飾を有する装飾部材本体３１と、装飾部材本体３１の後方側に組みつけられ、後述するように装飾装置１４の後方側から照射される光を散乱または誘導するレンズ部材３２とからなる。なお、装飾部材本体３１は開口部が多く形成されており、レンズ部材３２を透過した光が完全に遮られてしまうことはない。この装飾部材３０は、透明な合成樹脂からなる後述のカバー部材４０を介して装飾装置１４の前方側から視認可能であり、立体的な装飾によって装飾装置１４の装飾効果を高めるものである。
装飾部材３０の外周も、多角形状の開口窓部１７と同じ形状であり、上述したように取付部４４，４４に対応する位置には切欠き３３，３３が形成されている。よって、装飾部材３０を空間１９に収容したときに、装飾部材３０の外周が周囲壁１８の内周に接することで、上下左右方向への移動が規制される。
【００４０】
また、上述したように、開口部リブ１８ａによって後方向への移動が規制されている後方板部材２０の前方側に配されることで、後方向への移動が規制されるようになっている。装飾部材３０の厚み（前後幅）は、表面側に施された立体的な装飾の形状によって全体にわたって均一ではないが、この厚みが最大となる部分（最も突出した部分）は、上述した後方板部材２０の外周リブ２２の前面と、後述するカバー部材４０の後面との間隔に略等しい厚みとなっている。そして、装飾部材３０には、このように厚みが最大となる部分が数ヶ所あって、この部分が前方開口部１９ｂに固定されるカバー部材４０の後面に当接することで、前方向への移動が規制されるとともに、装飾部材３０の後方側に配される後方板部材２０の前方向への移動も規制されるようになっている。
【００４１】
カバー部材４０は透明の板状の部材であって、その外周は多角形状の開口窓部１７と同じ形状で、上述の取付部４４，４４に対応する位置には切欠き４２，４２が形成されている。空間１９の前方開口部１９ｂの内周には、取付部４４，４４が形成されている部分を除いて、周囲壁１８の内面により形成される空間１９の内径よりも径が広くなるように段差部４５が形成されており、カバー部材４０はこの段差部４５によって拡径された前方開口部１９ｂの内径と略同じ大きさとなっている。また、カバー部材４０の厚み（前後幅）は、段差部４５の前後幅と略同じとなっており、前方開口部１９ｂにカバー部材４０を取り付けると、取付基盤１６の前面とカバー部材４０の前面が略同一面を形成して、装飾装置１４の前面を流下する遊技球を妨げることがないようになっている。このように、カバー部材４０が段差部４５に嵌った状態で取り付けられることで、カバー部材４０の後方及び上下方向への移動が規制される。また、カバー部材４０の前面には、後述する前面装飾部材４３が取り付けられる部分に、装飾としての円柱状の突起４１が形成されている。
【００４２】
以上のことから、装飾装置１４は、装飾部材３０を配置する空間１９の前方を塞ぐ透明なカバー部材４０を備えるとともに、該カバー部材４０を取付基盤１６と略同一面に形成することで当該カバー部材４０の前方を遊技球が流下可能に構成したこととなる。
【００４３】
図６に示すように前面装飾部材４３は、カバー部材４０の前面側に配されていて、カバー部材４０の前側への移動を規制するとともに、装飾としての機能も有する。
図７に示すように、前面装飾部材４３は円形の開口部４６，４６，…を有し、この開口部４６，４６，…は、カバー部材４０に形成された装飾としての円柱状の突起４１，４１，…と嵌合するようになっている。このカバー部材４０に形成された円柱状の突起４１，４１，…は、装飾装置１４の後方側から照射される光を透過可能であって、光による装飾が可能となっている。さらに、この円柱状の突起４１，４１，…が、開口部４６，４６，…に嵌合することで前面装飾部材４３の位置決めが容易になる。
【００４４】
また、図９に示すように前面装飾部材４３の裏面側には、ねじ穴を有するボス４７が後方に突出するように形成されている。このボス４７が、開口窓部１７に形成された取付部４４，４４の前面側の凹部に嵌合することで、前面装飾部材の位置決めが容易になるとともに、ボスと取付部４４，４４のねじ穴によって装飾装置１４にねじで固定できるようになっている。
上述したように、後方開口部１９ａの開口部リブ１８ａは、取付部４４，４４に対応する位置には設けられておらず、また、後方板部材２０、装飾部材３０、カバー部材４０のそれぞれには取付部４４，４４に対応する部分に切欠きが形成されている。これによって図８に示すように、装飾装置１４の裏面側には取付部４４，４４の裏面に至る筒状の空間が形成されることとなり、装飾装置１４の裏側から、直接、取付部４４，４４のねじ穴にねじを挿入して前面装飾部材４３を固定できるようになっている。そして、前面装飾部材４３がカバー部材４０の前側に固定されることで、カバー部材４０の前側への移動が規制される。
【００４５】
以上のように、装飾装置１４の周囲壁１８によって形成された空間１９には、順に後方板部材２０、装飾部材３０、カバー部材４０が収容されている。そして、後方板部材２０、装飾部材３０のレンズ部材３２、カバー部材４０は透明な合成樹脂からなる部材であるので装飾装置１４の後方側から照射される光を透過可能であり、遊技領域１ａにおいて光による装飾が可能となっている。なお、後方板部材２０は半透明であっても良い。
【００４６】
第１流下誘導部材４８は、図１に示すように、装飾装置１４を遊技盤１に取り付けた状態で、装飾装置１４の右上部となる位置に設けられている。
図６、図７に示すように第１流下誘導部材４８は、遊技球を流下誘導する流下誘導部４９と、この流下誘導部４９と一体に形成された装飾部５０とからなる。
流下誘導部４９は、遊技球が流下可能な板面を取付基盤１６の円弧状部分の上端部から後述する障害釘取付部７０まで形成するものである。流下誘導部４９は、図１に示すように遊技盤１に装飾装置１４を取り付けた状態では、ガイドレール２の内周に接するように配され、遊技球を遊技領域１ａの中央下部方向に誘導するようになっている。
また、装飾部５０は、立体的な装飾が施されているとともに、透明の樹脂からなる扇形のレンズ部材５１が組み付けられており、このレンズ部材５１の後方側には開口窓部１７の一部が位置している。この扇形のレンズ部材５１は、装飾装置１４の後方側から照射されて開口窓部１７を透過した光によって後方から照らされ、光による装飾が可能となっている。
【００４７】
図７、図８に示すように入賞口形成部５２は、装飾装置１４の上方部であって、開口窓部１７の円弧状の縁部に対向する縁部に隣設されており、遊技球が通過可能な大きさの遊技球通過穴５３と、この遊技球通過穴５３の裏側に、入賞口形成部５２の裏面側に位置する周囲壁１８の外側面を底面として、遊技球通過穴５３を通過した遊技球を遊技盤１の裏面側へ誘導する誘導樋５４とを有する。また、入賞口形成部５２の表面側には、入賞口形成部材５５が取り付けられている。
【００４８】
遊技球通過穴５３には、装飾装置１４を遊技盤１に取り付けた際に下側となる部分に切欠き５６が形成されている。この切欠き５６には、後述する入賞口形成部材５５の後端部から突出するリブ６２が収容される。
誘導樋５４は、周囲壁１８の外周面を底面とし、この底面に遊技球通過穴５３の切欠き５６が形成された部分から周囲壁１８の後端部まで前後方向に沿ってリブ５７が立設されている。そして、このリブ５７の左右に、遊技球が側方に落下しないようにするための二つの側壁５８，５８が、遊技球通過穴５３の左右幅と略同じ間隔をおいてリブ５７と平行に周囲壁１８の外周面に立設されている。すなわち、誘導樋５４は、二つの側壁５８，５８と周囲壁１８の外周面で形成され、底面にはリブ５７が立設されている。なお、リブ５７は後方側に向かって下るように傾斜しており、誘導樋５４上の遊技球は、このリブ５７に沿って装飾装置１４の後方、すなわち遊技盤１の裏面側に誘導されるようになっている。
【００４９】
入賞口形成部材５５は、遊技球が入賞可能な一般入賞口８を有する筒状部５９と、筒状部５９の側方に連続し、遊技球を誘導する機能を有する第２流下誘導部材６０とからなる部材で、入賞口形成部５２の表面に取り付けられている。
筒状部の内部には、遊技球が流下可能な通路が前後方向に延在している。また、筒状部５９の前端は閉鎖され、その前面には装飾が施されており、筒状部５９の後端は開放され、後端面には取付基盤１６に固定するためのねじ穴が形成されている。筒状部５９は、装飾装置１４を遊技盤１に取り付けた際に上側となる部分が、遊技球が入賞可能な一般入賞口８として開口している。また、図５（ｂ）に示すように、筒状部５９内部の通路の底面となる部分には、一般入賞口８に入賞した遊技球を、遊技盤１の裏面側方向に流下させるためのリブ６２が形成されている。このリブ６２の上面は、筒状部５９の前後方向に沿って後側に向かうに従って下る滑らかな曲面となっており、この曲面によって、略垂直に一般入賞口８に入賞した遊技球の流下方向を、後側（遊技盤１の裏面側）に向かう方向に変換するようにしている。また、このリブ６２の後端部は、筒状部５９の後端部よりも後方に突出しており、上述した遊技球通過穴５３に形成された切欠き５６に収容されるとともに、誘導樋５４の底部に形成されたリブ５７と連続するようになっている。
以上のことから、装飾装置１４の上方部（装飾部材３０の直上部）に、入賞口（一般入賞口８）を形成したこととなる。
【００５０】
図６に示すように第２流下誘導部材６０は、入賞口形成部材５５を取付基盤１６に取り付けた際に、後述する第３流下誘導部材６３の下側に平行に配される平板状の部材で、その上面によって遊技球を流下案内するものである。この第２流下誘導部材６０の傾斜方向は、図１に示すように普通変動入賞装置７や特別変動入賞装置６が設けられている遊技領域１ａの中央下部方向となっている。また、この第２流下誘導部材６０の後面には取付基盤１６に形成された位置決め用の突起を挿入する位置決め穴が形成されていて、入賞口形成部材５５が取付基盤１６に対して正しい位置に取り付けられるようになっている。
【００５１】
障害釘取付部７０は、図１に示すように、装飾装置１４を遊技盤１に取り付けたときに入賞口形成部５２の上方となる位置に形成されている。この障害釘取付部７０は多角形状の開口部であり、ここから遊技盤１の表面が臨むようになっていて、遊技盤１に障害釘１１を直接打てるようになっている。これによって、装飾装置１４の前面であって、装飾装置１４の側端よりも離れた位置に一般入賞口８を形成しても、その一般入賞口８の近傍に障害釘１１を打てるようになり、一般入賞口８への遊技球の入賞率を適切に調節することができる。
【００５２】
第３流下誘導部材６３は、図１に示すように、装飾装置１４を遊技盤１に取り付けた状態において、入賞口形成部５２の左側の位置に設けられている。図６に示すようにこの第３流下誘導部材６３は、取付基盤１６に対して垂直かつ左右方向に延在するように前方に突出した平板状の部材であって、その上面で遊技球を流下案内するものである。第３流下誘導部材６３の下部には、上述した入賞口形成部材５５の第２流下誘導部材６０が、第３流下誘導部材６３と平行になるように配されている。この第２流下誘導部材６０と第３流下誘導部材６３の間隔は遊技球の直径よりも広く、遊技球が通過可能となっている。勿論、第３流下誘導部材６３の右端部と入賞口形成部材５５の筒状部５９との間隔も遊技球が通過可能な間隔となっている。第３流下誘導部材６３および第２流下誘導部材６０の傾斜方向は、図１に示すように、遊技領域１ａの中央下部に設けられた普通変動入賞装置７や特別変動入賞装置６の方向に遊技球を誘導する傾斜となっている。これによって、装飾装置１４の前面側を流下する遊技球が、普通変動入賞装置７や特別変動入賞装置６の方向に誘導されて入賞への期待が高まり、遊技者の興趣を向上させることができる。
【００５３】
また、第３流下誘導部材６３には、左右に延在する平板状の第３流下誘導部材６３の延在方向に沿った横長の断面を有し、第３流下誘導部材６３の前方端部から後方端部にかけて開口するように形成された筒状の挿通口６４が形成されている。この挿通口６４には、光伝達部材６５に形成され、この挿通口６４にちょうど収まる平板状の光誘導部６６が裏面側から挿通されており、平板状の光誘導部６６の前端面が挿通口６４の前方端部に臨むようになっている。また、取付基盤１６の第３流下誘導部材６３の下部に形成された円形開口部６９には、光伝達部材６５に形成された円柱状の光誘導部６６の前端面が臨んでいる。図７、図８に示すように光伝達部材６５は、光を透過可能な透明な合成樹脂からなる部材で、平板状の光誘導部６６と円柱状の光誘導部６７がその前面に突設されている。光伝達部材６５の後面は装飾装置１４の裏面側に露出しており、装飾装置１４の後方から照射される光を裏面で受けて装飾装置１４の前面側に誘導するようになっている。すなわち、平板状の光誘導部６６の前端面や円柱状の光誘導部６７の前端面は、光誘導部材の裏面で受けた光が伝達されることで光るようになっている。この光伝達部材６５によって、装飾装置１４の後方側から照射された光が誘導されて、第３流下誘導部材６３の前方端部や、下部の円形開口部６９が光るようになり、従来にない斬新な装飾を行うことができる。
【００５４】
以上のような装飾装置１４の前面側における遊技球の流下態様について説明する。
遊技領域１ａに発射された遊技球のうち、装飾装置１４の上方に至り第１流下誘導部材４８上に流下した遊技球は、その傾斜に沿って遊技領域１ａの中央下部方向に誘導される。第１流下誘導部材４８の下流側端部には障害釘取付部７０が隣設されており、第１流下誘導部材４８によって誘導された遊技球は、ここに設けられた障害釘１１によって流下方向が変更される。障害釘１１によって流下方向が変更された遊技球のうち、一部は一般入賞口８に入賞し、その他の遊技球は一般入賞口８に入賞せずに障害釘取付部７０の下方、または障害釘取付部７０を越えて遊技領域１ａの中央下部方向に誘導される。
【００５５】
一般入賞口８に入賞した遊技球は、筒状部５９を遊技盤１の裏面方向に流下して遊技球通過穴５３を通過し、誘導樋５４を経由して遊技盤１の裏面に形成された後述する誘導路８４に流入する。一方、一般入賞口８に入賞せずに障害釘取付部７０の下方に誘導された遊技球は、開口窓部１７の前方開口部１９ｂに取り付けられたカバー部材４０の前面を流下し、遊技領域１ａの下方に流下する。また、一般入賞口８に入賞せずに障害釘取付部７０を越えて遊技領域１ａの中央下部方向に誘導された遊技球は、第３流下誘導部材６３上を流下して遊技領域１ａの中央下部に設けられた普通変動入賞装置７や特別変動入賞装置６に向かって流下する。もしくは、第２流下誘導部材６０上を流下して（第２流下誘導部材６０と第３流下誘導部材６３の間を通って）遊技領域１ａの中央下部に設けられた普通変動入賞装置７や特別変動入賞装置６に向かって流下する。
【００５６】
すなわち、以上のような装飾装置１４においては、遊技球は装飾装置１４の前面側を流下可能であるので、装飾装置１４の前面側も遊技領域１ａの一部として利用でき、装飾装置１４を備えることで遊技領域１ａが狭くなってしまうことがない。また、装飾装置１４の前面側に至った遊技球の一般入賞口８への入賞の期待と、一般入賞口８に入賞しなかった場合でも、普通変動入賞装置７や特別変動入賞装置６の方向に誘導されることによる入賞への期待とによって遊技者の興趣を向上させることができる。
【００５７】
なお、装飾装置１４の周囲壁１８によって形成される空間１９の内部に配設される装飾部材３０を、電気的駆動源の作動に基づき可動可能な可動装飾部材で構成し、所定の遊技状態（例えば、大当り状態やリーチ状態）に応じて動作して装飾するようにしてもよい。なお、電気的駆動源としては、モータやソレノイドを使用し、装飾装置１４の裏面側に配設する。
【００５８】
図２から図５、図１０、図１１に示すように、遊技盤１の裏面の下部には裏面構成部材８０が設けられている。
裏面構成部材８０は、一般入賞口８に入賞した遊技球を所定部位に流下誘導する誘導路８４を形成可能な誘導路形成壁８５と、装飾装置１４を装飾するための発光部材（図示略）を搭載した発光部材用基板８７と、発光部材用基板８７などと制御装置との間の配線を中継する中継基板８８を取り付ける取付部材９０を備える。この裏面構成部材８０は、第１誘導路形成部８１、中央部８２、第２誘導路形成部８３が左右方向に連続するように一体に形成されている。第１誘導路形成部８１は、遊技領域１ａの正面から見て右下部に配された上述の一般入賞口８を有する装飾装置１４の裏面側に、中央部８２は普通変動入賞装置７、特別変動入賞装置６の裏面側に、第２誘導路形成部は、遊技領域１ａの正面から見て左下部に形成された一般入賞口８の裏面側に配される。また、裏面構成部材８０は透明な合成樹脂からなる。
【００５９】
図１０、図１１に示すように第１誘導路形成部８１には、その前面側（遊技盤１の裏面に接する側）に、断面がコ字状の誘導路形成壁８５が、前側が開口するように形成されている。図５（ｂ）に示すように誘導路形成壁８５は、裏面構成部材８０を遊技盤１の裏面側に配することで、遊技盤１の裏面が前側の開口を閉鎖して誘導路８４を形成するようになっている。すなわち、遊技盤１の裏面が誘導路８４の前壁をなす。また、誘導路形成壁８５は、第１誘導路形成部８１の前面側の上部から下端部までにわたって形成されているとともに、誘導路８４が屈曲して左右方向に延在するように形成されており、遊技球の流下速度が速くなり過ぎないようになっている。
【００６０】
また、図２、図４、図５（ｂ）に示すように第１誘導路形成部８１は、遊技盤表面の遊技領域１ａの正面から見て右下部に設けられた装飾装置１４の裏面側に配されるが、遊技盤１の装飾装置１４が配される部分には、開口部１５が形成されており、この開口部１５から装飾装置１４の裏面が、遊技盤１の裏面と略同一面となるように臨んでいる。また、装飾装置１４には、上述したように一般入賞口８が形成されていて、この一般入賞口８に連通した誘導樋５４の後端部（出口）が装飾装置１４の裏面に臨んでいる。すなわち、装飾装置１４が配される遊技盤１に形成された開口部１５の部分では、第１誘導路形成部８１に形成される誘導路８４の前壁は装飾装置１４の裏面であり、この装飾装置１４の裏面に後端部が臨んでいる誘導樋５４は誘導路８４に連通した状態となる。
【００６１】
また、図１０に示すように誘導路８４の下流部には、通過する遊技球を検出可能な一般入賞センサ（検出センサ）を取り付け可能なセンサ取付部９１が形成されている。そして、ここに取り付けられた一般入賞センサからの検出信号によって、遊技制御装置において一般入賞口８に入賞した遊技球を検出し、賞球の排出などの制御が行われるようになっている。さらに誘導路８４は第１誘導路形成部８１の下端部まで連続して形成され、遊技球を第１誘導路形成部８１の下面から下方に排出するようになっている。
【００６２】
以上のことから、裏面構成部材８０は、誘導路８４の一部もしくは全部が屈曲するように誘導路形成壁８５を形成し、該誘導路８４の所要部位に入賞口（一般入賞口８）に入賞した遊技球を検出するための検出センサ（一般入賞センサ）を設けたこととなる。
【００６３】
図３、図４、図１１に示すようにこの第１誘導路形成部８１の裏面には、制御装置との間の配線を中継する中継基板８８と、発光部材としてのＬＥＤ（図示略）を搭載した発光部材用基板８７とを取り付けた取付部材９０が設けられている。取付部材９０は、中継基板８８を取り付ける略矩形箱状の中継基板取付部８９と、略扇形の発光部材用基板８７を取り付ける略扇形箱状の発光部材用基板取付部８６とが、底面どうしで接合した形状となっている。そして、略矩形箱状の中継基板取付部８９には、その開口側に図示しないコネクタが配されるように中継基板８８が取り付けられている。また、略扇形箱状の発光部材用基板取付部８６には、その開口側に発光部材が配されるように発光部材用基板８７が取り付けられている。すなわち、取付部材９０には、中継基板８８と背合わせ状態で発光部材用基板８７が配設されており、取付部材９０の前面側に発光部材用基板８７の発光部材、後面側に中継基板８８のコネクタが配されている。
【００６４】
以上のことから、裏面構成部材８０は、発光部材と制御装置との間の配線を中継する中継基板８８を、当該裏面構成部材８０の裏面側に取り付けるための取付部材９０を備え、取付部材９０は、中継基板８８を裏面側に配設する一方、該中継基板８８と背合わせ状態で前面側に発光部材を搭載した発光部材用基板８７を配設したこととなる。
【００６５】
図１１に示すように取付部材９０は、裏面構成部材８０の裏面に対して、発光部材用基板取付部８６の開口を前側に、かつ、扇形の円弧状部分が前方側から見て右下部に位置するように取り付けられる。このように取付部材９０が裏面構成部材８０に取り付けられることで、図４に示す遊技盤１に形成された開口部１５に対向するように発光部材用基板８７が取り付けられることとなる。発光部材用基板８７の形状は略扇形で、この形状は開口部１５の形状と略同じ形状であり、また、発光部材用基板８７上の図示しない発光部材の配設位置は、装飾装置１４の遊技盤１の裏面側に臨んでいる後方開口部１９ａと光伝達部材６５の後方側となる位置に配されている。上述したように、裏面構成部材８０は透明な合成樹脂からなるので、発光部材からの光は裏面構成部材８０を透過して遊技盤１の裏面側に露出している装飾装置１４の後方開口部１９ａと光伝達部材６５の裏面に照射される。装飾装置１４の裏面に照射された光は、それぞれ透明な合成樹脂からなる後方板部材２０、装飾部材３０のレンズ部材３２、カバー部材４０、光伝達部材６５を透過し遊技盤１の前面側に至る。そして、この光が透過する経路上に配された種々のレンズ部材や光伝達部材６５の光誘導部６６，６７が、光を散乱して全面が光るようにしたり、特定個所に光を誘導したりすることで、装飾装置１４に発光部材を直接取り付けた場合と同じような光による装飾が、装飾装置１４の後方から照射される光によって行われる。
なお、裏面構成部材８０はその裏面側に配される発光部材からの光を前面側に透過可能とするために透明な部材からなるとしたが、裏面構成部材８０の全部ではなく一部（光を透過させる部分）を透明にしても良い。また、裏面構成部材８０の全部もしくは一部を半透明にしても良い。また、裏面構成部材８０の裏面壁に発光部材の光を通す穴を形成しても良い。ただし、上述したように、発光部材は誘導路８４が形成される第１誘導路形成部８１の裏面に配されるので、発光部材の光を通す穴を形成する場合は、誘導路８４を流下する遊技球が通過できない程度の穴とする。
【００６６】
以上のことから、打ち込まれた遊技球が流下する遊技領域１ａを形成した遊技盤１と、遊技盤１に形成された開口部１５に対応して配設され、遊技領域１ａを装飾するための装飾装置１４と、遊技盤１の裏面側に設けられ、遊技領域１ａに形成された入賞口（一般入賞口８）へ入賞した遊技球を該遊技盤１の裏面側下方の所定部位に流下誘導する誘導路８４を形成可能な前方に開口した断面コ字状の誘導路形成壁８５を立設した裏面構成部材８０と、を備えた遊技機において、装飾装置１４は、遊技盤表面に取り付けられる取付基盤１６と、取付基盤１６に形成された開口窓部１７の縁部から後方側に突出形成され、立体的な装飾部材３０を配設するための空間１９を形成する周囲壁１８と、周囲壁１８の後方開口部１９ａを閉鎖するとともに、裏面が遊技盤１の裏面と略同一面となる透明もしくは半透明な後方板部材２０と、を設け、裏面構成部材８０は、装飾装置１４の後方側の位置に、後方板部材２０の裏面が前方開口を塞ぐことで誘導路８４を形成可能に誘導路形成壁８５を配設するとともに、該誘導路８４の後方側に該装飾装置１４に対して光を照射する発光部材を配設したこととなる。
【００６７】
図１０、図１１に示すように、第２誘導路形成部８３にも第１誘導路形成部８１と同様に前側が開口したコ字状の誘導路形成壁８５が形成されており、裏面構成部材８０を遊技盤１の裏面側に配することで、遊技盤１の裏面が前側の開口を閉鎖して誘導路８４を形成するようになっている。この第２誘導路形成部８３は、遊技機の正面から見て左下部に設けられた３つの一般入賞口８の裏面側に配される。
【００６８】
図１に示すように、この３つの一般入賞口８のうち、上側の２つの一般入賞口８は一般入賞口形成部材９２に形成されている。遊技盤１の一般入賞口形成部材９２が配される部分には、図４に示すように開口部１２が形成されており、この開口部１２から一般入賞口形成部材９２の裏面が、遊技盤１の裏面と略同一面をなすように遊技盤１の裏面側に臨んでいる。一般入賞口形成部材９２は、遊技盤１の前面に形成された一般入賞口８，８に入賞した遊技球を遊技盤１の裏面側に誘導する誘導樋９３，９３を有し、遊技盤１に形成された開口部１２から誘導樋９３，９３の後端部（出口）が遊技盤１の裏面側に臨んでいる。すなわち、一般入賞口形成部材９２が配される遊技盤１に形成された開口部１２の部分では、裏面構成部材８０に形成される誘導路８４の前壁は一般入賞口形成部材９２の裏面であり、この一般入賞口形成部材９２の裏面に後端部が臨んでいる誘導樋９３，９３は誘導路８４に連通した状態となる。
【００６９】
また、遊技盤１の正面から見て左下方に形成された３つの一般入賞口８のうち、最も下側にある一般入賞口８は、特別変動入賞装置６の側方に形成されており、この一般入賞口８に連通する誘導樋９４の後端部は、遊技盤１の特別変動入賞装置６を取り付けるための開口部１３から遊技盤１の裏面側に臨んでいる。そして、この誘導樋９４の後端部にも誘導路形成壁８５の前側の開口が配されており、誘導樋９４と誘導路８４とが連通した状態となっている。
【００７０】
図１０、図１１に示すように第２誘導路形成部８３には、誘導路形成壁８５によって、各一般入賞口８に対してそれぞれ誘導路８４が１本ずつ形成されている。そして、それぞれの誘導路８４は、一部または全部が屈曲するように形成され、遊技球の流下速度が速くなりすぎないようになっている。各誘導路８４は、第２誘導路形成部８３の下部の合流部９６で合流して一本の誘導路になり、さらに裏面構成部材８０の下端部まで連続して形成されており、遊技球を第２誘導路形成部８３の下面から下方に排出するようになっている。また、合流部９６を過ぎてすぐの位置には、通過する遊技球を検出可能な一般入賞センサ（検出センサ）を取り付け可能なセンサ取付部９５が形成されている。そして、ここに取り付けられた一般入賞センサからの検出信号によって、遊技制御装置において一般入賞口８に入賞した遊技球を検出し、賞球の排出などの制御が行われるようになっている。
【００７１】
また、第２誘導路形成部８３の裏面には、図４に示すように、一般入賞センサなどと制御装置との間の配線を中継する中継基板９７を取り付けるための第２中継基板取付部９８が形成されている。第２中継基板取付部９８は後方側に開口した矩形箱状であり、底面は第２誘導路形成部８３の裏面となっている。この第２中継基板取付部９８には、後方の開口側に図示しないコネクタが配されるように中継基板９７が取り付けられている。
【００７２】
また、第２誘導路形成部８３の裏面の右端部、すなわち、裏面構成部材８０の後面から見て右端部には、取付ボス９９，９９が形成されている。
この取付ボス９９，９９には、上下方向に延在する軸を有する図示しない支持部材が取り付けられ、裏面構成部材８０の後方にこの軸を中心として扉状に回動可能に板状の部材が取り付けられる。この板状の部材には遊技制御装置をなす制御基板が取り付けられる。
【００７３】
裏面構成部材８０の中央部８２は、普通変動入賞装置７や特別変動入賞装置６の裏面側に配される部分であって、普通変動入賞装置７の後部を収容する凹部１００や、特別変動入賞装置６の後部を収容する凹部１０１が形成されている。
また、その他に裏面構成部材８０には、ねじ穴や中継基板８８，９８などに接続される配線を保持するための配線保持部材１０２，１０２，…などが形成されている。
【００７４】
以上のように構成される裏面構成部材８０においては以下のように一般入賞口８に入賞した遊技球が流下誘導される。
装飾装置１４に形成された一般入賞口８に入賞した遊技球は、装飾装置１４に形成された誘導樋５４を遊技盤１の裏面方向に流下し、装飾装置１４の裏面に至る。誘導樋５４は装飾装置１４の裏面において、第１誘導路形成部８１に形成された誘導路形成壁８５と、装飾装置１４の裏面（後方板部材２０の裏面）とで形成された誘導路８４に連通しており、遊技球はこの誘導路８４に流入する。そして、遊技球は屈曲する誘導路８４に沿って流下し、センサ取付部９１に取り付けられた一般入賞センサに検出された後、第１誘導路形成部８１の下面から下方に排出される。
【００７５】
また、遊技領域１ａの正面から見て左下方に形成された一般入賞口８に入賞した遊技球も同様に、誘導樋９３，９４を流下し遊技盤１の裏面に至る。誘導樋９３，９４は遊技盤１の裏面において、第２誘導路形成部８３に形成された誘導路形成壁８５と、一般入賞口形成部材９２の裏面もしくは遊技盤１の裏面とで形成された誘導路８４に連通しており、遊技球はこの誘導路８４に流入する。誘導路８４は、それぞれの一般入賞口８毎に形成されており、遊技球は入賞した一般入賞口８に対応した誘導路８４を流下する。そして、それぞれの誘導路８４を流下した遊技球は、その下流の合流部９６で合流し、合流部９６を過ぎてすぐの位置にあるセンサ取付部９５に取り付けられた一般入賞センサによって検出された後、第２誘導路形成部８３の下面から下方に排出される。
【００７６】
また、以上のように構成される裏面構成部材８０においては、第１誘導路形成部８１の裏面に発光部材を備えた発光部材用基板８７が取付部材９０によって取り付けられており、この発光部材からの光は透明な裏面構成部材８０を透過して装飾装置１４の裏面に照射され、装飾装置１４における光による装飾を可能としている。これによって、装飾装置１４自体に発光部材を設けなくても光による装飾が可能となり、装飾装置１４の裏面に誘導路８４を形成することが可能となる。
また、取付部材９０の裏面側には中継基板８８が取り付けられ、発光部材用基板８７などと制御装置との間の配線を中継し、配線の処理が整然と行えるようになっている。
【００７７】
以上のような遊技機は、打ち込まれた遊技球が流下する遊技領域１ａを形成した遊技盤１と、遊技盤１に形成された開口部１５に対応して配設され、遊技領域１ａを装飾するための装飾装置１４と、遊技盤１の裏面側に設けられ、遊技領域１ａに形成された入賞口（一般入賞口８）へ入賞した遊技球を該遊技盤１の裏面側下方の所定部位に流下誘導する誘導路８４を形成可能な前方に開口した断面コ字状の誘導路形成壁８５を立設した裏面構成部材８０と、を備えた遊技機であって、装飾装置１４は、遊技盤表面に取り付けられる取付基盤１６と、取付基盤１６に形成された開口窓部１７の縁部から後方側に突出形成され、立体的な装飾部材３０を配設するための空間１９を形成する周囲壁１８と、周囲壁１８の後方開口部１９ａを閉鎖するとともに、裏面が遊技盤１の裏面と略同一面となる透明もしくは半透明な後方板部材２０と、を設け、裏面構成部材８０は、装飾装置１４の後方側の位置に、後方板部材２０の裏面が前方開口を塞ぐことで誘導路８４を形成可能に誘導路形成壁８５を配設するとともに、該誘導路８４の後方側に該装飾装置１４に対して光を照射する発光部材を配設している。
【００７８】
従って、装飾装置１４は、立体的な装飾部材３０を配設するための空間１９を形成する周囲壁１８を有しているので、立体的な装飾部材３０により装飾効果を高めることができる。
また、周囲壁１８の後方開口部１９ａを閉鎖するとともに、裏面が遊技盤１の裏面と略同一面となる透明もしくは半透明な後方板部材２０を設けたことで、装飾装置１４の裏面側に何ら問題（例えば、球詰まり等）なく誘導路８４を形成できる。
さらに、後方板部材２０と装飾部材３０を別部材で構成したので、装飾部材３０の形状に関係なく上述のように装飾装置１４の裏面側に何ら問題なく誘導路８４を形成でき、装飾部材３０を様々な形状に形成できる。
【００７９】
また、裏面構成部材８０には、装飾装置１４の後方側の位置に、後方板部材２０の裏面が前方開口を塞ぐことで誘導路８４を形成可能に誘導路形成壁８５を配設したので、後方板部材２０が誘導路８４の前壁を兼ね、装飾装置１４のすぐ裏側に誘導路８４を形成することとなり、構成を簡略化することができるとともに、装飾装置１４の配設位置によって誘導路８４の配設位置が規制されることがない。
また、誘導路８４の後方側に装飾装置１４に対して光を照射する発光部材を配設したことで、装飾効果をより高めることができるとともに、装飾装置１４自体に発光部材を備える必要がないので装飾装置１４を小型化でき、誘導路８４の形状や位置を規制することがなく、各機構体を遊技盤１に効率よく配設することが可能となる。
【００８０】
また、裏面構成部材８０は、発光部材と制御装置との間の配線を中継する中継基板８８を、当該裏面構成部材８０の裏面側に取り付けるための取付部材９０を備え、取付部材９０は、中継基板８８を裏面側に配設する一方、該中継基板８８と背合わせ状態で前面側に発光部材を搭載した発光部材用基板８７を配設するようにしている。
【００８１】
従って、発光部材用基板８７と中継基板８８とを背合わせ状態で取付部材９０に配設したことで、発光部材を中継基板８８の裏面側（遊技機の前面側）を利用して効率よく配設することが可能となる。また、発光部材からの配線が背面の中継基板８８で中継されるので、配線処理も整然と行うことが可能となる。
【００８２】
また、装飾装置１４は、装飾部材３０を配置する空間１９の前方を塞ぐ透明なカバー部材４０を備えるとともに、該カバー部材４０を取付基盤１６と略同一面に形成することで当該カバー部材４０の前方を遊技球が流下可能に構成している。
【００８３】
従って、装飾装置１４は、装飾部材３０を配置する空間１９の前方を塞ぐカバー部材４０を備え、カバー部材４０の前方を遊技球が流下可能に構成されているので、装飾装置１４の前面側も遊技球が流下可能な遊技領域１ａとすることができ、装飾装置１４を備えることにより遊技領域１ａが狭くなってしまうといった課題を抑制できる。また、遊技球が流下する領域で装飾を行うので、より斬新な装飾となる。
【００８４】
また、装飾装置１４の上方部に、入賞口（一般入賞口８）を形成している。
【００８５】
このように、装飾装置１４の上方部に、入賞口を形成しても、上述したように、装飾装置１４の裏側に誘導路８４を配設できるので、その入賞口に連通する誘導路８４を何ら問題なく形成することが可能となる。
つまり、装飾装置１４によって入賞口の配設位置が規制されることがなく、所望の位置に入賞口を配設することができる。
【００８６】
また、裏面構成部材８０は、誘導路８４の一部もしくは全部が屈曲するように誘導路形成壁８５を形成し、該誘導路８４の所要部位に入賞口（一般入賞口８）に入賞した遊技球を検出するための検出センサ（一般入賞センサ）を設けている。
【００８７】
従って、誘導路８４の一部もしくは全部を屈曲させたり、該誘導路８４の所要部位に入賞口に入賞した遊技球を検出するための検出センサを設けたりしても、上述したように装飾装置１４の裏側に誘導路８４などを配設できるので、取り付けスペース的な問題が生じず、また、装飾効果が低下することもない。
つまり、装飾装置１４によって誘導路８４の形状や、検出センサなどの部材の配設位置が規制されることがない。
【００８８】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００８９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本発明に係る遊技機の好適な一例としてのパチンコ遊技機の遊技盤を示す正面図である。
【図２】遊技盤の斜視図であって、装飾装置を取り外した状態を示す図である。
【図３】遊技盤の裏面側を示す斜視図である。
【図４】遊技盤の裏面側を示す斜視図であって、裏面構成部材、取付部材を取り外した状態の図である。
【図５】遊技盤を示す図であって、（ａ）正面図、（ｂ）Ｂ−Ｂ断面図である。
【図６】装飾装置の前面側から見た斜視図である。
【図７】装飾装置の前面側から見た分解斜視図である。
【図８】装飾装置の後面側から見た斜視図である。
【図９】装飾装置の後面側から見た分解斜視図である。
【図１０】裏面構成部材の前面側から見た斜視図である。
【図１１】裏面構成部材の前面側から見た斜視図であって、取付部材を取り外した状態を示す図である。
【符号の説明】
【００９１】
１      遊技盤
１ａ    遊技領域
８      一般入賞口
１４    装飾装置
１５    開口部
１６    取付基盤
１７    開口窓部
１８    周囲壁
１９    空間
１９ａ  後方開口部
１９ｂ  前方開口部
２０    後方板部材
３０    装飾部材
４０    カバー部材
８０    裏面構成部材
８４    誘導路
８５    誘導路形成壁
８７    発光部材用基板
８８    中継基板
９０    取付部材
９１    センサ取付部
９５    センサ取付部
【図１】
2006141793.tif 000003
【図２】
2006141793.tif 000004
【図３】
2006141793.tif 000005
【図４】
2006141793.tif 000006
【図５】
2006141793.tif 000007
【図６】
2006141793.tif 000008
【図７】
2006141793.tif 000009
【図８】
2006141793.tif 000010
【図９】
2006141793.tif 000011
【図１０】
2006141793.tif 000012
【図１１】
2006141793.tif 000013